(57)【要約】【課題】本発明の目的は、給電線の径より大きな部材を有する給電線を使用でき、かつ防水性の高い防水キャップを提供することにある。【解決手段】本発明の防水キャップは、両端が開孔している筒状体１を有し、筒状体１は、その両端のうち開口径がＷ１である第一端２と、両端のうち、開口径が前記W1より小さいＷ２である第二端３と、筒状体１の所定の位置から第二端３にかけて、径がＷ１からＷ２に減少する絞り部４と、第二端３から絞り部４にかけて設けられた切り込み部と、切り込み部５の切り込みの縁であって、筒状体１の外表面側に設けられた凸部６と、を有し、凸部６は、筒状体１のうち切り込みで分断された一方（第一の弁７ａ）と他方（第二の弁７ｂ）が当接した状態の凸部６と対応した形状の凹部９を有するカバー８によって覆われることが可能な形状を有し、さらに、凸部６は一方（第一の弁７ａ）と他方（第二の弁７ｂ）のおのおのの、少なくとも一部に設けられ、少なくとも筒状体１が、弾力部材で構成されている。【選択図】      図1
2015053238.tif 000002
【特許請求の範囲】
【請求項１】
両端が開孔している筒状体を有し、
前記筒状体は、その前記両端のうち開口径がＷ１である第一端と、
前記両端のうち、開口径が前記Ｗ１より小さいＷ２である第二端と、
前記筒状体の所定の位置から第二端にかけて、径が前記Ｗ１からＷ２に減少する絞り部と、
前記第二端から前記絞り部にかけて設けられた切り込み部と、
前記切り込み部の切り込みの縁であって、前記筒状体の外表面側に設けられた凸部と、を有し、
前記凸部は、前記筒状体のうち切り込みで分断された一方と他方が当接した状態の前記凸部と対応した形状の凹部を有するカバーによって覆われることが可能な形状を有し、さらに、前記凸部は前記一方と前記他方のおのおのの、少なくとも一部に設けられ、
少なくとも前記筒状体が、弾力部材で構成されていることを特徴とする防水キャップ。
【請求項２】
前記凸部が、前記カバーによっておおわれている、請求項１に記載の防水キャップ。
【請求項３】
前記絞り部の形状が、テーパー状である、請求項１、または２に記載の防水キャップ。
【請求項４】
前記絞り部の外表面に同心状の段差を設けた、請求項１、または２に記載の防水キャップ。
【請求項５】
前記段差は、前記筒状体の中心軸を中心とした筒部とテーパー部を交互に設けることによって形成されることを特徴とする、請求項４に記載の防水キャップ。
【請求項６】
前記段差は、段の位置での径が、所望の開口径となる、請求項４または５に記載の防水キャップ。
【請求項７】
前記絞り部が、テーパー状である場合、前記絞り部の、所望の開口径となる位置に切断位置明示部を設けたことを特徴とする、請求項３から５のいずれかに記載の防水キャップ。
【請求項８】
前記凸部を覆った際に、前記段の位置、または前記所望の開口径となる位置と対応する位置を明示した明示部を備えるカバーを有する請求項６または７に記載の防水キャップ。
【請求項９】
前記段の位置で前記筒状体を切り離すと、前記筒部が第二端となることを特徴とする請求項６に記載の防水キャップ。
【請求項１０】
前記凸部が、前記切り込み部の縁のうち、前記切断位置及び前記所望の開口径となる位置を除く領域のいずれかに設けられている、請求項６から９のいずれかに記載の防水キャップ。
【発明の詳細な説明】
【技術分野】
【０００１】
本発明は防水キャップに関し、防水性の高い防水キャップに関する。
【背景技術】
【０００２】
一般に、屋外など雨水等の水分にさらされる場所に設けられているアンテナやその他電子機器に対し、給電線を接続する箇所が十分に防水効果を得られるよう、防水キャップを使用することが知られている。図１５に一般的な防水キャップ３００を示したが、防水キャップ３００は給電ケーブル３０１を接続する電子機器側の箇所と一端３０２で密着し、もう一端（貫通孔３０３）で接続しようとする給電ケーブル３０１と密着することで、電子機器の給電部分を雨水などの水分から守ることが期待されている。
【０００３】
しかし、図１５に示した防水キャップは、給電ケーブル３０１と密着する側の端部（貫通孔３０３）が、給電ケーブル３０１の径に対応する径および材料の伸びる範囲の径で固定されている。このため、コネクタ等、電子機器の給電部分に給電線を接続する際必要で、かつ給電線より径の大きな部材は、給電線を一旦防水キャップに通したのち、給電線に取り付ける必要があった。また、市販されているコネクタ付きケーブル等に、図１５における防水キャップ３００を使用できなかった。
【０００４】
この課題に対し、市販されているコネクタ付きケーブル等、給電線の径より大きな部材を有する場合にも用いることができる防水キャップが知られている。
【０００５】
例えば、図１６に示すように、特許文献１には、ケーブル用防水キャップ４００の一端部を、複数の折りたたみ構造（十字状部４０１）とし、その中心部に内径が拡大自在なケープル貫通孔４０２を設けたものが示されている。ケーブルの取り付け作業時にはこのケーブル貫通孔４０２を押し開き、ケーブルの接栓部を通して使用する。
【０００６】
また、図１７に示すように、特許文献２には、多数の弁体５０１の間に夫々形成されている多数の第１裂け目５０２と、１つ又は２つ以上の第１裂け目５０２、５０２・・・５０２の夫々外周側（孔縁５０４ａの側）から上記漏斗状に形成してある筒体下部の周壁５０５に向けて形成した第２裂け目５０３を備えさせてある電子機器ケース用防水キャップ５００が示されている。ケーブルに防水キャップ５００を装着する際には、防水キャップ５００のケーブル挿入用孔５０４の下からケーブルを筒体内部の方向へ向けて進める。すると、ケーブル挿入用孔５０４の薄い膜体５０６、第１裂け目５０２、第１裂け目５０２と連続する第２裂け目５０３が裂け、さらに第２裂け目５０３が弾力的に拡張しコネクタが通る。
【先行技術文献】
【特許文献】
【０００７】
【特許文献１】実公平１−９３３５公報
【特許文献２】特開２０１３−１６３２０公報
【発明の概要】
【発明が解決しようとする課題】
【０００８】
しかしながら、コネクタの径はケーブルよりも大きいため、特許文献１または２のような、コネクタ付きケーブルを使用可能な防水キャップでは、ケーブルの外周に、防水キャップの一端が十分密着しない構造となる。
【０００９】
本発明の目的は、給電線の径より大きな部材を有する給電線を使用でき、かつ防水性の高い防水キャップを提供することにある。
【課題を解決するための手段】
【００１０】
本発明の防水キャップは、両端が開孔している筒状体を有し、前記筒状体は、その前記両端のうち開口径がＷ１である第一端と、前記両端のうち、開口径が前記Ｗ１より小さいＷ２である第二端と、前記筒状体の所定の位置から第二端にかけて、径が前記Ｗ１からＷ２に減少する絞り部と、前記第二端から前記絞り部にかけて設けられた切り込み部と、前記切り込み部の切り込みの縁であって、前記筒状体の外表面側に設けられた凸部と、を有し、前記凸部は、前記筒状体のうち切り込みで分断された一方と他方が当接した状態の前記凸部と対応した形状の凹部を有するカバーによって覆われることが可能な形状を有し、さらに、前記凸部は前記一方と前記他方のおのおのの、少なくとも一部に設けられ、少なくとも前記筒状体が、弾力部材で構成されている。
【発明の効果】
【００１１】
本発明によれば、給電線の径より大きな部材を有する給電線を使用でき、かつ防水性の高い防水キャップを提供することができる。
【図面の簡単な説明】
【００１２】
【図１】本発明の第一の実施形態における防水キャップの（ａ）正面図と（ｂ）側断面図である。
【図２】本発明の第一の実施形態における防水キャップの（ａ）カバーと（ｂ）凸部がカバーで覆われた状態の側断面と（ｃ）凸部がカバーで覆われた状態の正面を示す図である。
【図３】本発明の第一の実施形態における防水キャップを電子機器等の給電部及びコネクタ付きケーブルに使用した際の、ケーブル、コネクタ以外の部材の断面を示す図である。
【図４】本発明の第一の実施形態における防水キャップの２種類の形状の凸部の断面を示す図である。
【図５】本発明の第一の実施形態における防水キャップの使用方法を示す図である。
【図６】本発明の第一の実施形態における防水キャップを（ａ）電子機器等の給電部に取り付ける動作と、（ｂ）取り付けた状態での、ケーブル、コネクタ以外の部材の断面（ケーブル、コネクタを除く）を示す図である。
【図７】本発明の第二の実施形態における防水キャップの（ａ）正面図と、（ｂ）側面図である。
【図８】本発明の第二の実施形態における防水キャップの（ａ）正面図と、（ｂ）側断面図である。
【図９】本発明の第二の実施形態における防水キャップにおいて、凸部をカバーで覆った場合の（ａ）正面図と、（ｂ）側面図である。
【図１０】本発明の第二の実施形態における防水キャップの（ａ）正面図と、（ｂ）側面図である。
【図１１】本発明の第二の実施形態における防水キャップの（ａ）正面から見た断面図と、（ｂ）側断面図である。
【図１２】本発明の第三の実施形態における防水キャップの（ａ）正面図と、（ｂ）側面図である。
【図１３】本発明の第三の実施形態における防水キャップの（ａ）凸部周辺と、（ｂ）カバー及びカバーが備える凹部を示す図である。
【図１４】本発明の第三の実施形態における防水キャップの側面と、凸部に対応した凹部を備えたカバーとの対応関係を示す図である。
【図１５】一般的な防水キャップの（ａ）正面から見た際の給電ケーブルと接栓以外の部材の断面図と、（ｂ）防水キャップの中心軸に略垂直な断面図である。
【図１６】特許文献１における防水キャップの（ａ）給電ケーブルと接栓以外の部材の正面からの断面図と、（ｂ）中心軸に沿った視点での十字状部を示す図である。
【図１７】特許文献２における電子機器ケース用防水キャップの（ａ）正面からの見た際の断面図と、（ｂ）第一裂け目、第二裂け目、弁体を示す図である。
【発明を実施するための形態】
【００１３】
［第一の実施形態］以下に、本発明を実施するために好ましい形態について図面を用いて説明する。ただし、以下に述べる実施形態には、本発明を実施するために技術的に好ましい限定がされているが、発明の範囲を以下に限定するものではない。
［構造の説明］図１は、本実施形態における防水キャップの正面図（図１（ａ））及び横方向から見た断面図（図１（ｂ））である。また図２は、本実施形態における防水キャップの凸部６を覆うカバー８（図２（ａ））と、凸部６をカバー８で覆った状態（図２（ｂ））と、凸部６をカバー８で覆った状態の断面図（図２（ｃ））を示している。図１（ａ）に示すように、本実施形態の防水キャップは、筒状体１、第一端２、第二端３、絞り部４、切り込み部５、凸部６、第一の弁７ａ、第二の弁７ｂを有する。
【００１４】
筒状体１は、両端が開孔している形状であり、弾性部材で構成されている。図１（ｂ）に示すように、その開孔を有する端部のうち、第一端２は開口径がＷ１であり、第二端３は開口径が前記Ｗ１より小さいＷ２である。
【００１５】
絞り部４は、筒状体１の所定の位置から第二端３にかけて、径が前記Ｗ１からＷ２に減少するように設けられている。
【００１６】
切り込み部５は、第二端３から絞り部４にかけて設けられる。
【００１７】
第一の弁７ａと第二の弁７ｂは、筒状体１のうち、切り込み部５で分断された一方と他方である。
【００１８】
凸部６は、切り込み部５の切り込みの縁のうち、筒状体１の外表面側に設けられる。また、凸部６は、第一の弁７ａと第二の弁７ｂが当接した状態の凸部６と対応した形状の凹部９を有するカバー８によって、覆われることが可能な形状を有する。さらに、凸部６は第一の弁７ａと第二の弁７ｂのおのおのの、少なくとも一部に設けられる。
【００１９】
図２に示すように、カバー８は、第一の弁７ａと第二の弁７ｂが当接した状態の凸部６と対応した形状の凹部９を有する。カバー８で凸部６を覆うと、第一の弁７ａと第二の弁７ｂが当接した状態となる。
【００２０】
以下に、本実施形態の防水キャップに適用しうる、具体的な構成を示す。
【００２１】
図３に示すように、第一端２の径Ｗ１は、本実施形態の防水キャップの第一端２を取り付けうる箇所（図３においては、接栓１５が設けられている台座部１４）の外周に水密的に装着しうる径である。また、給電線が有する、給電線の径より大きな部材の径より、Ｗ１の方が大きい。一般的に、台座部１４の外周よりＷ１は小さい。つまり、筒状体１を構成する弾性部材が伸縮することで、台座部１４の外周に水密的に装着される。
【００２２】
図３に示すように、第二端３は本実施形態の防水キャップを取り付ける給電線１１（図３においては同軸ケーブル１１ａ）の外周に、水密的に装着されうる。Ｗ２は、Ｗ１と同様同軸ケーブル１１ａの径より小さい。筒状体１を構成する弾性部材が伸縮することで、同軸ケーブル１１ａの外周に水密的に装着される。
【００２３】
絞り部４の形状の例として、図１にはテーパー状の絞り部４を示した。しかし、筒状体１の所定の位置から第二端３にかけて、径が前記Ｗ１からＷ２に減少する形状であれば、他の形状でもよい。
【００２４】
切り込み部５は、図１に示したように、第二端３から絞り部４にかけて設けられる。図１のように筒状体１の中心軸に沿った形で設けられていてもいいし、中心軸に対して角度をつけて設けられていてもよい。また、図１のように直線状に設けられていてもいいし、第二端３の径Ｗ２を拡張し、切り込みの縁に凸部６を設けることができ、第一の弁７ａと第二の弁７ｂとが当接した状態にでき、その状態でカバー８によって覆われうる形状であれば、他の形状でもいい。また、切り込み部５の切り込みは予め設けられていてもよく、第一の弁７ａと第二の弁７ｂとが薄膜等で当初は接合していて、使用する際などに裂いて切り込みが形成されるように構成してもよい。
【００２５】
凸部６は、図４（ａ）にその断面を示したように、筒状体１側の幅が、凸部６のもう一方の幅より狭い形状とすることができる。また、図４（ｂ）に示すように、断面が鉤型の形状としてもいい。加えて、図１のように、凸部６は切り込み５の切り込みの全ての縁に設けてもよい。筒状体１のうち、切り込みで分断された一方（第一の弁７ａ）と他方（第二の弁７ｂ）が当接した状態で、カバー８によって覆われうるのであれば、凸部６を切り込みの縁の一部にだけ設けてもよい。
【００２６】
カバー８は、図４（ａ）や図４（ｂ）に示したように、凸部６の形状と対応した凹部９を有すればよい。カバー８が凸部６を覆った際、筒状体１の第一の弁７ａと第二の弁７ｂが当接した状態となるように凹部９を設ければよく、図４（ａ）のように、凸部と類似の形状の内面の構造である凹部９を有してもいいし、図４（ｂ）のように、凸部６の一部と対向するような凹部９を有してもいい。また、カバー８は、筒状体１と同様弾力部材で形成されていてもよい。加えて、カバー８によって覆った際に、切り込みで分断された一方（第一の弁７ａ）と他方（第二の弁７ｂ）が当接した状態となるのであれば、カバー８を構成する材料は問わない。
［使用方法の説明］コネクタ付きケーブルを例に、本実施形態の防水キャップ１００の使用方法の一形態を、図５を用いて説明する。図中では、防水キャップ１００の内部にあるコネクタ１０および同軸ケーブル１１ａを、見やすさのために実線で示している。
【００２７】
同軸ケーブル１１ａの径と対応する径Ｗ２を有する第二端３は、切り込み部５によってその径を拡張可能である。コネクタ１０付き同軸ケーブル１１ａを、切り込み５によって開口を拡張した第二端３から通したのち（図５（ａ））、開いた切り込み部５、すなわち第一の弁７ａと第二の弁７ｂを拡張前の位置に戻す（図５（ｂ））。そして、切り込み部１５を閉じた状態で固定するためのカバー８を、切り込み部１５の縁に設けられた凸部６の上にかける（図５（ｃ））ことによって、第二端３は同軸ケーブル１１ａの周囲に水密的に装着された状態となる。
【００２８】
コネクタ１０の接続先が接栓座１２上の接栓１５である場合には、接栓１５へ接続後、図６（ａ）のように、カバー８と筒状体１が一体となった状態で、防水キャップ１００を同軸ケーブル１１ａに沿ってコネクタ１０の側に前進させ、図６（ｂ）の様に第一端２を台座部１４に被せ付ける。この状態で、筒状体１における第一端２の内周面が台座部１４の外周面に水密的に装着されている。また、切り込み部５の切り込みの縁は互いに当接している。さらに第二端３の内周面が同軸ケーブル１１ａの外周面に水密的に装着されている。
［効果の説明］
本発明の第一の実施形態である防水キャップは、切り込み部５を有することで、コネクタ付きケーブルなど、給電線の径より大きな部材を有する給電線に本実施形態の防水キャップを適用できる。さらに、凸部６とカバー８によって第一の弁７ａと第二の弁７ｂを当接させた状態にでき、第二端３が、給電線１１に水密的に装着される。このため、第一の弁７ａと第二の弁７ｂを当接させた状態においては、風雨が吹き付けても、第一端２が第一端２を取り付けうる箇所（例えば台座部１４）に水密的に装着され、第二端３が給電線１１（例えば同軸ケーブル１１ａ）に水密的に装着されている為、接栓１５に雨水等の水の浸入が防止され、高い防水性を提供できる。
【００２９】
［第二の実施形態］次に、第二の実施形態について説明する。図７〜図１１は、本実施形態における防水キャップを示す図である。
【００３０】
［構造の説明］本実施形態の防水キャップの第一の実施形態と異なる点は、は、図７〜図１１に示すように、絞り部４の外表面に同心状の段差を設けた点である。それ以外の構成は、第一の実施形態と同様である。つまり第二の実施形態における防水キャップ１００は、筒状体１、第一端２、第二端３、絞り部４、切り込み部５、凸部６、第一の弁７ａ、第二の弁７ｂ、段差１６とを有する。
【００３１】
本実施形態の防水キャップは、絞り部４の外表面に同心状の段差１６を有している。例えば、図７〜図９に示すように、絞り部４に筒状体１の中心軸を中心とした筒部１６ａとテーパー部１６ｂを、交互に設けることができる。筒部１６ｂは、その領域にわたって筒状体１の中心軸に対して略同径である。テーパー部１６ｂは、第一端２側で隣接する筒部１６ｂの径を最大径とし、第二端３方向に径が小さくなる形状である。また、図７〜図９において、第二端３には筒部１６ａが配置されている。この場合、第二端３および筒部１６ａの径は、本実施形態の防水キャップを使用する対象である給電線１１の径に対応している。すると、第一の実施形態における防水キャップより、給電線１１の外周と接触しうる面積が大きいため、水密的に装着されうる領域が広い。このため、より高い防水効果を得られる。第二端３にテーパー部１６ｂが配置された場合、第二端における防水効果は第一の実施形態と同様である。
【００３２】
また、図１０、図１１に示すように、第一端２側から第二端３にかけて、径が階段状に小さくなるように複数の筒部１６ａを配置することもできる。この場合、第二端３に必ず筒部１６ａが配置されるため、給電線１１の外周に水密的に装着されうる領域が第一の実施形態より広い。このため、第一の実施形態における防水キャップより、高い防水効果を得られる。
【００３３】
本実施形態における防水キャップの使用方法は、第一の実施形態と同様である。
【００３４】
［効果の説明］本実施形態における防水キャップは、第二端３に筒部１６ａが配置された場合、給電線１１の外周に水密的に装着されうる領域が第一の実施形態より広くなり、第二端３における防水効果が大きくなる。
【００３５】
［第三の実施形態］次に、第三の実施形態について説明する。図１２〜図１４は、本実施形態における防水キャップを示す図である。
【００３６】
［構造の説明］本実施形態の防水キャップの第一の実施形態と異なる点は、は、図１２〜図１４に示すように、絞り部４の、所望の開口径となる位置に切断位置明示部１７を設けた点である。それ以外の構成は、第一の実施形態およびと同様である。つまり第二の実施形態における防水キャップは、筒状体１、第一端２、第二端３、絞り部４、切り込み部５、凸部６、第一の弁７ａ、第二の弁７ｂ、切断位置明示部１７とを有する。
【００３７】
本実施形態の防水キャップは、図１２に示すように、テーパー状である絞り部４の、所望の開口径となる位置に切断位置明示部１７を設けられている。
【００３８】
切断位置明示部１７を設ける位置は、絞り部４の内径が、種々の給電線１１の径に対応した内径となる位置にすることができる。つまり、この位置で切断したのちに第二端３となる箇所の径が、これから利用する給電線１１の径と対応する。また、切断位置明示部１７として、筒状部１と別の色でガイド線（図１２においては破線）を印刷したり、突起を設けたりすることができる。
【００３９】
この切断位置明示部１７を設けることで、一つの防水キャップで、複数の径の給電線に対応できる。
【００４０】
また、図７で示した第二の実施形態の筒部１６ａとテーパー部１６ｂの境界が、所望の開口径となるように構成されていれば、切断位置明示部１７と同様の効果を奏する。
【００４１】
より望ましくは、第一端２側が筒部１６ａ、第二端３側がテーパー部１６ｂという配置になる境界で切り取ることである。この場合、第二端３に筒部１６ａが配置されるため、第二の実施形態に記載したように、給電線１１の外周に水密的に装着されうる領域が広くなり、より高い防水効果を得られる。
【００４２】
上述のように切断位置明示部１７、あるいは筒部１６ａとテーパー部１６ｂの境界が所望の開口径となるように構成した場合、切り込み部５の縁のうち、切断位置及び所望の開口径となる位置を除く領域のいずれかに凸部６を設けることができる。図１３及び図１４に、絞り部４に筒状体１の中心軸を中心とした筒部１６ａとテーパー部１６ｂを交互に設け、さらに、第一端２側に筒部１６ａ、第二端３にテーパー部１６ｂという配置になる境界が、所望の開口径となるように構成されている場合の、凸部６、および対応するカバー８の凹部９の具体的構成の一例を示している。
【００４３】
凸部６が上述の構成を有することにより、切断の際に凸部６を切断する必要が無く、筒状体１を容易に切断できる。
【００４４】
また図１４に示すように、カバー８側の切断位置明示部１７あるいは上述の境界の位置と対応する位置に、明示部１８を設けることもできる。明示部１８を設ければ、筒状体１の切断位置とカバー８の端部をそろえる、ことが容易になる。明示部１８でカバー８を切断すれば、カバー８が切断位置から突出することがない。明示部は、切断位置明示部１７と同様に、カバー８と別の色で筒状体１の外表面にガイド線を印刷したり、突起を設けたりすることができる。この場合、筒状体１の切断位置における切断が容易に行えるだけでなく、カバー８の端部を前述の切断位置にそろえる等、容易に対応した長さにすることができる。
【００４５】
本実施形態における防水キャップの使用するにあたっては、本防水キャップを使用する給電線の径に合わせ、予め切断位置明示部１７、あるいは筒部１６ａとテーパー部１６ｂの境界のうち所望の開口径となる箇所で筒状体１を切断する。さらに、場合によっては、カバー８を、筒状体１の切断箇所に対応した位置、あるいは明示部１８のうち、筒状体１を切断した箇所に対応する位置で切断する。その他の使用方法は、第一の実施形態、第二の実施形態と同様である。
［効果の説明］
本実施形態における防水キャップは、絞り部４の、所望の開口径となる位置に切断位置明示部１７を有する、あるいは筒部１６ａとテーパー部１６ｂの境界のうちいずれかが、所望の開口径となる。このことで、一つの防水キャップで、複数の径の給電線に対応できる。
【００４６】
上記の実施形態の一部または全部は、以下の付記のようにも記載されうるが、以下には限られない。
［付記１］
両端が開孔している筒状体を有し、
前記筒状体は、その前記両端のうち開口径がＷ１である第一端と、
前記両端のうち、開口径が前記W1より小さいＷ２である第二端と、
前記筒状体の所定の位置から第二端にかけて、径が前記Ｗ１からＷ２に減少する絞り部と、
前記第二端から前記絞り部にかけて設けられた切り込み部と、
前記切り込み部の切り込みの縁であって、前記筒状体の外表面側に設けられた凸部と、を有し、
前記凸部は、前記筒状体のうち切り込みで分断された一方と他方が当接した状態の前記凸部と対応した形状の凹部を有するカバーによって覆われることが可能な形状を有し、さらに、前記凸部は前記一方と前記他方のおのおのの、少なくとも一部に設けられ、
少なくとも前記筒状体が、弾力部材で構成されていることを特徴とする防水キャップ。
［付記２］
前記凸部が、前記カバーによっておおわれている、付記１に記載の防水キャップ。
［付記３］
前記絞り部の形状が、テーパー状である、付記１、または２に記載の防水キャップ。
［付記４］
前記絞り部の外表面に同心状の段差を設けた、付記１、または２に記載の防水キャップ。
［付記５］
前記段差は、前記筒状体の中心軸を中心とした筒部とテーパー部を交互に設けることによって形成されることを特徴とする、付記４に記載の防水キャップ。
［付記６］
前記段差は、段の位置での径が、所望の開口径となる、付記４または５に記載の防水キャップ。
［付記７］
前記絞り部が、テーパー状である場合、前記絞り部の、所望の開口径となる位置に切断位置明示部を設けたことを特徴とする、付記３から５のいずれかに記載の防水キャップ。
［付記８］
前記凸部を覆った際に、前記段の位置、または前記所望の開口径となる位置と対応する位置を明示した明示部を備えるカバーを有する付記６または７に記載の防水キャップ。
［付記９］
前記段の位置で前記筒状体を切り離すと、前記筒部が第二端となることを特徴とする付記６に記載の防水キャップ。
［付記１０］
前記凸部が、前記切り込み部の縁のうち、前記切断位置及び前記所望の開口径となる位置を除く領域のいずれかに設けられている、付記６から９のいずれかに記載の防水キャップ。
［付記１１］
前記筒状体の所定の位置から前記第二端にかけて、前記筒状体の内面が筒状である、付記１から１０のいずれかに記載の防水キャップ。
［付記１２］
前記第一端が、接栓の台座部の外周に水密的に装着される開口径Ｗ１を有する、付記１から１１のいずれかに記載の防水キャップ。
［付記１３］
前記第二端が、給電線の外周に水密的に装着される開口径Ｗ２を有する、付記１から１２のいずれかに記載の防水キャップ。
［付記１４］
前記凸部の前記筒状体側の幅が、前記凸部のもう一方の幅より狭いことを特徴とする、付記１から１３のいずれかに記載の防水キャップ。
［付記１５］
前記凸部が、その断面において、鉤形の形状を有し、前記形状は、先端が前記切り込みから遠ざかる方向に折れ曲がっている、付記１から１３のいずれかに記載の防水キャップ。
【符号の説明】
【００４７】
１００    ローカルシステム
１    筒状体
２    第一端
３    第二端
４    絞り部
５    切り込み部
６    凸部
７ａ    第一の弁
７ｂ    第二の弁
８    カバー
９    凹部
１０    コネクタ
１１    給電線
１１ａ    同軸ケーブル
１２    接栓座
１３    平坦部
１４    台座部
１５    接栓
１６    段差
１６ａ    筒部
１６ｂ    テーパー部
１７    切断位置明示部
１８    明示部
１００    防水キャップ
２００    接続部
３００    防水キャップ
３０１    給電ケーブル
３０２    一端
３０３    貫通孔
４００    防水キャップ
４０１    十字状部
４０２    貫通孔
４０３    コネクタ
４０４    接栓
４０５    接栓座
４０６    給電部
５００    電子機器ケース用防水キャップ
５０１    弁体
５０２    第一裂け目
５０３    第二裂け目
５０４    ケーブル挿入用孔
５０４ａ    孔縁
５０５    周壁
５０６    薄い膜体
【図１】
2015053238.tif 000003
【図２】
2015053238.tif 000004
【図３】
2015053238.tif 000005
【図４】
2015053238.tif 000006
【図５】
2015053238.tif 000007
【図６】
2015053238.tif 000008
【図７】
2015053238.tif 000009
【図８】
2015053238.tif 000010
【図９】
2015053238.tif 000011
【図１０】
2015053238.tif 000012
【図１１】
2015053238.tif 000013
【図１２】
2015053238.tif 000014
【図１３】
2015053238.tif 000015
【図１４】
2015053238.tif 000016
【図１５】
2015053238.tif 000017
【図１６】
2015053238.tif 000018
【図１７】
2015053238.tif 000019